(57)【要約】  クラウドサーバ（５）は、屋内情報受信部（５００）と、監視情報生成部（５０４）と、監視情報送信部（５０５）とを備える。屋内情報受信部（５００）は、エアコン（２ａ，２ｂ）から屋内情報を受信し、監視情報生成部（５０４）は、受信した屋内情報の履歴に基づいて監視情報を生成する。監視情報送信部（５０５）は、監視情報生成部（５０４）が生成した監視情報を操作端末（４）に送信する。操作端末（４）は、ディスプレイと、監視情報受信部（４０４）と、監視情報表示部（４０５）とを備える。監視情報受信部（４０４）は、クラウドサーバ（５）から監視情報を受信する。監視情報表示部（４０５）は、監視情報受信部（４０４）が受信した監視情報を予め定めた態様でディスプレイに表示する。
2019244306.tif 000002
【特許請求の範囲】
【請求項１】
屋内の環境を調整する調整機器と、監視装置と、端末と、を備え、
前記調整機器は、
前記屋内の熱画像を取得する熱画像センサと、
前記取得された熱画像に基づく熱画像情報と、前記調整機器の状態に基づく機器状態情報と、を含む屋内情報を前記監視装置に送信する屋内情報送信手段と、を備え、
前記監視装置は、
前記調整機器から前記屋内情報を受信する屋内情報受信手段と、
前記屋内情報の履歴に基づいて監視情報を生成する監視情報生成手段と、
前記監視情報を前記端末に送信する監視情報送信手段と、を備え、
前記端末は、
ディスプレイと、
前記監視装置から前記監視情報を受信する監視情報受信手段と、
前記監視情報を予め定めた態様で前記ディスプレイに表示する制御手段と、を備える、監視システム。
【請求項２】
前記屋内情報には、前記調整機器により計測された前記屋内の空気状態を示す情報がさらに含まれる、請求項１に記載の監視システム。
【請求項３】
前記監視情報には、前記屋内の在室者に関する情報が含まれる、請求項１又は２に記載の監視システム。
【請求項４】
前記監視装置は、
前記屋内情報の履歴に基づいて、ユーザへの通報が必要か否かを判定する通報判定手段と、
前記通報判定手段により通報が必要であると判定された場合、前記端末を介して前記ユーザに通報する通報手段と、をさらに備える、請求項１から３の何れか１項に記載の監視システム。
【請求項５】
前記通報判定手段は、前記屋内で予め定めたイベントが発生した場合、前記屋内の予め定めた状況を検出し、前記屋内情報の履歴に基づいて、前記イベントの発生時における前記検出した状況が発生する確率を算出し、算出した確率に基づいて、前記通報の要否を判定する、請求項４に記載の監視システム。
【請求項６】
調整機器が、
屋内の熱画像を取得し、
取得した前記熱画像に基づく熱画像情報と、前記調整機器の状態に基づく機器状態情報と、を含む屋内情報を監視装置に送信し、
前記監視装置が、
前記調整機器から前記屋内情報を受信し、
受信した前記屋内情報の履歴に基づいて監視情報を生成し、
生成した前記監視情報を端末に送信し、
前記端末が、
前記監視装置から前記監視情報を受信し、
受信した前記監視情報を予め定めた態様でディスプレイに表示する、監視方法。
【発明の詳細な説明】
【技術分野】
【０００１】
本発明は、監視システム及び監視方法に関する。
【背景技術】
【０００２】
空調機、照明器等の家電機器においては、例えば、温度センサ、照度センサ等の当該家電機器の基本的な動作に必要不可欠な情報を取得するセンサのみならず、高機能化を実現するために付加的な情報を取得するセンサが搭載されていることも珍しくない。【０００３】
例えば、熱画像センサを備えた空調機はよく知られており、従来、様々な技術が提案されている（例えば、特許文献１）。
【先行技術文献】
【特許文献】
【０００４】
【特許文献１】特開２０１６−２０５６３４号公報
【発明の概要】
【発明が解決しようとする課題】
【０００５】
ところで、近年、一般家庭向けに、セキュリティ、高齢者等の見守り等の監視を目的とした家庭用の監視設備が多数発売されている。しかし、設置の非容易性、コスト面等の問題がユーザの導入意欲を妨げており、需要の高さに対して導入率は低い傾向にある。【０００６】
これに対し、上記のような付加的な情報を取得するセンサを搭載した家電機器を用いて、セキュリティ、見守り等の監視を行うシステムが実現できれば、上記のようなユーザの導入意欲を妨げる諸問題を解消できるが、そのような技術に関し、未だ有意な提案がなされていないのが実情である。【０００７】
本発明は、上記実情に鑑みてなされたものであり、屋内の監視のための情報を取得する専用の監視設備を設置することなく、屋内のセキュリティ、見守り等の監視を実現する監視システム等を提供することを目的とする。
【課題を解決するための手段】
【０００８】
上記目的を達成するため、本発明に係る監視システムは、
屋内の環境を調整する調整機器と、監視装置と、端末と、を備え、
前記調整機器は、
前記屋内の熱画像を取得する熱画像センサと、
前記取得された熱画像に基づく熱画像情報と、前記調整機器の状態に基づく機器状態情報と、を含む屋内情報を前記監視装置に送信する屋内情報送信手段と、を備え、
前記監視装置は、
前記調整機器から前記屋内情報を受信する屋内情報受信手段と、
前記屋内情報の履歴に基づいて監視情報を生成する監視情報生成手段と、
前記監視情報を前記端末に送信する監視情報送信手段と、を備え、
前記端末は、
ディスプレイと、
前記監視装置から前記監視情報を受信する監視情報受信手段と、
前記監視情報を予め定めた態様で前記ディスプレイに表示する制御手段と、を備える。
【発明の効果】
【０００９】
本発明によれば、屋内の監視のための情報を取得する専用の監視設備を設置することなく、屋内のセキュリティ、見守り等の監視を実現することが可能となる。
【図面の簡単な説明】
【００１０】
【図１】本発明の実施の形態に係る監視システムの全体構成を示す図
【図２】本実施の形態のエアコンの設置場所について説明するための図
【図３】本実施の形態のエアコンの構成を示すブロック図
【図４】本実施の形態の操作端末の構成を示すブロック図
【図５】本実施の形態のクラウドサーバの構成を示すブロック図
【図６】本実施の形態のクラウドサーバが備える二次記憶装置について説明するための図
【図７】本実施の形態の操作端末とクラウドサーバの機能構成を示すブロック図
【図８】本実施の形態において、監視情報に基づく監視画面の一例を示す図
【図９】本実施の形態の通報処理の手順を示すフローチャート
【図１０】本実施の形態の監視処理の手順を示すフローチャートするための図
【発明を実施するための形態】
【００１１】
以下、本発明の実施の形態について図面を参照して詳細に説明する。
【００１２】
図１は、本発明の実施の形態に係る監視システム１の全体構成を示す図である。監視システム１は、家屋Ｈ内のセキュリティ、見守り等の監視を行うシステムであり、エアコン２ａ，２ｂと、ホームゲートウェイ３と、操作端末４と、クラウドサーバ５とを備える。
【００１３】
エアコン２ａ，２ｂは、本発明に係る調整機器の一例である。エアコン２ａ，２ｂは、それぞれ、図示しない室外機と通信線及び冷媒配管を介して接続される、いわゆる室内機である。図２に示すように、エアコン２ａは、寝室に設置され、エアコン２ｂは、リビングルームに設置されている。以下、エアコン２ａ，２ｂにて共通する説明については、特に個々を指定せずにエアコン２と表記する。
【００１４】
エアコン２は、図３に示すように、ファン２０と、ルーバ２１と、熱交換器２２と、温度センサ２３と、湿度センサ２４と、熱画像センサ２５と、制御基板２６とを備える。ファン２０は、例えば、シロッコファンであり、当該エアコン２が設置された場所の空気を図示しない吸込口から取り込むと共に、図示しない吹出口から、熱交換器２２によって熱交換された空気を送り出す。ファン２０は、制御基板２６と通信線ＣＬ１を介して通信可能に接続される。ファン２０の回転数、即ち、ファン２０による送風量は、制御基板２６からの指令に従って調整される。
【００１５】
ルーバ２１は、ファン２０によって室内に送り出される空気の向きを調整する。ルーバ２１は、制御基板２６と通信線ＣＬ２を介して通信可能に接続される。ルーバ２１の角度、即ち、風向きは、制御基板２６からの指令に従って調整される。
【００１６】
熱交換器２２は、ファン２０により取り込まれた空気と図示しない室外機からの冷媒との熱交換を行う。熱交換器２２は、冷房運転時においては、蒸発器として機能し、暖房運転時においては、凝縮器として機能する。
【００１７】
温度センサ２３は、ファン２０により取り込まれた空気の温度を計測する。温度センサ２３は、通信線ＣＬ３を介して制御基板２６と通信可能に接続される。温度センサ２３は、制御基板２６からの要求に応答して、計測した温度を示すデータ（以下、温度データという。）を制御基板２６に送信する。
【００１８】
湿度センサ２４は、ファン２０により取り込まれた空気の湿度を計測する。湿度センサ２４は、通信線ＣＬ４を介して制御基板２６と通信可能に接続される。湿度センサ２４は、制御基板２６からの要求に応答して、計測した湿度を示すデータ（以下、湿度データという。）を制御基板２６に送信する。
【００１９】
熱画像センサ２５は、赤外線サーモグラフィであり、当該エアコン２が設置された室内の熱画像を取得する。熱画像センサ２５は、通信線ＣＬ５を介して制御基板２６と通信可能に接続される。熱画像センサ２５は、制御基板２６からの要求に応答して、取得した熱画像を示すデータ（以下、熱画像データという。）を制御基板２６に送信する。
【００２０】
制御基板２６は、ＣＰＵ（Central Processing Unit）、ＲＯＭ（Read Only Memory）、ＲＡＭ（Random Access Memory）、通信インタフェース、読み書き可能な不揮発性の半導体メモリなど（何れも図示せず）を含んで構成される。制御基板２６は、上記のように通信線を介して室外機（詳細には、室外機が備える制御基板）と通信可能に接続される。また、制御基板２６は、通信線ＣＬ１〜ＣＬ５を介して、それぞれ、ファン２０、ルーバ２１、温度センサ２３、湿度センサ２４及び熱画像センサ２５と通信可能に接続される。
【００２１】
制御基板２６は、予め定めた時間毎（例えば、１分毎）に、室外機から、計測された外気温を示すデータを取得する。また、制御基板２６は、上記時間毎に、温度センサ２３、湿度センサ２４及び熱画像センサ２５から、それぞれ、温度データ、湿度データ及び熱画像データを取得する。
【００２２】
また、制御基板２６は、図示しない専用リモコン（以下、空調リモコンという。）と有線又は無線にて通信可能に接続され、さらに、ブロードバンドルータとしての機能を有するホームゲートウェイ３と、無線通信可能に接続される。
【００２３】
空調リモコンは、当該エアコン２と同じ部屋（寝室又はリビングルーム）の壁に埋設して設置されたり、あるいは壁に掛けられた態様で設置され、当該部屋を利用するユーザから、空調に関する操作を個別に受け付けるためのリモートコントローラである。例えば、ユーザは、空調リモコンを操作することで、運転の開始又は停止、冷房、暖房、除湿、送風などの運転モードの変更、目標温度、目標湿度、送風量、風向き等の変更を指示することができ、また、タイマ設定を行うことができる。制御基板２６は、ユーザの指示内容と、各センサから取得した温度データ、湿度データ及び熱画像データとに基づいて、エアコン２及び室外機の動作を制御する。
【００２４】
また、制御基板２６は、熱画像センサ２５によって取得された室内の熱画像から、在室者の位置を検出し、在室者の移動に追従して風向きが変更されるようにルーバ２１を制御する。
【００２５】
また、制御基板２６は、本発明に係る屋内情報送信手段としての機能を備える。即ち、制御基板２６は、予め定めた時間毎（例えば、１０分毎）に、屋内情報を生成し、生成した屋内情報をホームゲートウェイ３を介してクラウドサーバ５に送信する。屋内情報には、当該エアコン２を識別する情報（例えば、シリアル番号等）と、室内の熱画像を示す熱画像情報と、現在の運転状態（例えば、運転中又は停止中、運転モード等）を示す機器状態情報と、最新の室温、湿度及び外気温を示す空気状態情報と、タイマ情報（例えば、タイムアウトまでの残り時間が含まれる。）とが含まれている。なお、制御基板２６は、上記の定期的な屋内情報の送信に加え、空調リモコンがユーザにより操作されると、即座に屋内情報をクラウドサーバ５に送信する。
【００２６】
図１に戻り、操作端末４は、本発明に係る端末の一例であり、スマートフォン、タブレット端末等の携帯可能なスマートデバイスである。操作端末４は、図４に示すように、ディスプレイ４０と、操作受付部４１と、通信インタフェース４２と、ＣＰＵ４３と、ＲＯＭ４４と、ＲＡＭ４５と、二次記憶装置４６とを備える。これらの構成部は、バス４７を介して相互に接続される。
【００２７】
ディスプレイ４０は、液晶ディスプレイ、有機ＥＬディスプレイ等の表示デバイスを含んで構成される。ディスプレイ４０は、ＣＰＵ４３の制御の下、ユーザ操作に応じた各種の画面等を表示する。
【００２８】
操作受付部４１は、押しボタン、タッチパネル、タッチパッド等の１つ以上の入力デバイスを含んで構成され、ユーザからの操作入力を受け付け、受け付けた操作に係る信号をＣＰＵ４３に送出する。
【００２９】
通信インタフェース４２は、予め定めた近距離無線通信インタフェースと、予め定めた広域用の無線通信インタフェースとを含んで構成される。通信インタフェース４２は、例えば、図１に示すＡＰ（アクセスポイント）６又は基地局７を介してインターネットに接続し、クラウドサーバ５等の他の装置とデータ通信を行う。
【００３０】
ＣＰＵ４３は、この操作端末４を統括的に制御する。ＲＯＭ４４は、複数のファームウェアとこれらのファームウェアの実行時に使用されるデータを記憶する。ＲＡＭ４５は、ＣＰＵ４３の作業領域として使用される。
【００３１】
二次記憶装置４６は、ＥＥＰＲＯＭ（Electrically Erasable Programmable Read-Only Memory）、フラッシュメモリ等の読み書き可能な不揮発性の半導体メモリ等を含んで構成される。二次記憶装置４６には、家屋Ｈ内のセキュリティ、見守り等の監視を行うためのプログラム（以下、監視プログラムという。）を含む各種のプログラムと、これらのプログラムの実行時に使用されるデータとが記憶される。
【００３２】
操作端末４の本発明特有の機能については後述する。
【００３３】
クラウドサーバ５は、本発明に係る監視装置の一例である。クラウドサーバ５は、エアコン２のメーカ、販売会社等によって設置され、運用されるサーバコンピュータであり、一般的なＷｅｂサーバとしての機能を有し、インターネットに接続される。クラウドサーバ５は、顧客、即ち、エアコン２のユーザに対して、当該顧客宅のセキュリティ、見守り等の監視サービスを提供する。
【００３４】
クラウドサーバ５は、図５に示すように、通信インタフェース５０と、ＣＰＵ５１と、ＲＯＭ５２と、ＲＡＭ５３と、二次記憶装置５４とを備える。これらの構成部は、バス５５を介して相互に接続される。
【００３５】
通信インタフェース５０は、インターネットに接続して、ホームゲートウェイ３、操作端末４等の他の装置と通信するためのインタフェースである。ＣＰＵ５１は、このクラウドサーバ５を統括的に制御する。ＣＰＵ５１によって実現される、クラウドサーバ５の機能の詳細については後述する。
【００３６】
ＲＯＭ５２は、複数のファームウェアとこれらのファームウェアの実行時に使用されるデータを記憶する。ＲＡＭ５３は、ＣＰＵ５１の作業領域として使用される。
【００３７】
二次記憶装置５４は、ＥＥＰＲＯＭ、フラッシュメモリ等の読み書き可能な不揮発性の半導体メモリ又はＨＤＤ（Hard Disk Drive）を含んで構成される大容量の記憶装置である。二次記憶装置５４は、図６に示すように、監視サービスプログラム５４０と、顧客情報ＤＢ５４１と、屋内情報ＤＢ５４２とを記憶する。
【００３８】
監視サービスプログラム５４０は、監視サービスを実現するためのプログラムである。顧客情報ＤＢ５４１は、エアコン２を購入し、監視サービスに加入している顧客に関する情報（以下、顧客情報という。）を管理するためのデータベースである。顧客情報は、エアコン２の購入後にユーザが、操作端末４等を介して、クラウドサーバ５にアクセスし、監視サービスを受けるための予め定めた加入手続を行うことで生成され、顧客情報ＤＢ５４１に登録される。
【００３９】
かかる加入手続では、ユーザは、クラウドサーバ５から提示された加入手続画面を介して操作端末４等を操作することで、加入手続に必要な情報の入力を行う。加入手続に必要な情報として、本実施の形態では、ユーザは、自己が決めた認証用のパスワード、対象機器情報、家族情報、住所、電話番号及び操作端末４のメールアドレスの入力を行う。
【００４０】
対象機器情報には、当該ユーザが購入したエアコン２のシリアル番号と設置場所情報とが含まれる。設置場所情報は、例えば、部屋の名称（寝室、リビングルーム等）である。なお、ユーザにより入力されたシリアル番号は、ＣＰＵ５１によって正否チェックが行われる。入力されたシリアル番号が正しくない場合は、ＣＰＵ５１は、入力エラーである旨を加入手続画面を介してユーザに報知する。
【００４１】
家族情報には、家族の各メンバについての年齢、性別、身体特徴情報などが含まれる。身体特徴情報には、例えば、身長、体型、眼鏡の装着有無、顔画像等が含まれる。
【００４２】
屋内情報ＤＢ５４２は、各顧客宅の各エアコン２から送られてくる屋内情報の履歴が保存されるデータベースである。屋内情報ＤＢ５４２には、顧客毎に区分けして、過去３年分の屋内情報の履歴が保存される。なお、保存期間に限定はなく、３年より長くても短くても構わない。
【００４３】
続いて、操作端末４及びクラウドサーバ５の機能について詳細に説明する。図７は、操作端末４及びクラウドサーバ５の機能構成を示すブロック図である。図７に示すように、操作端末４は、通報受付部４００と、報知部４０１と、要求受付部４０２と、要求部４０３と、監視情報受信部４０４と、監視情報表示部４０５とを備える。操作端末４のこれらの機能部は、ＣＰＵ４３が二次記憶装置４６に記憶されている監視プログラムを実行することで実現される。この監視プログラムは、いわゆるアプリケーションソフトウェアであり、ユーザは、監視プログラムを、例えば、クラウドサーバ５、その他のプログラム配布サーバ等から操作端末４にダウンロードすることができる。
【００４４】
また、クラウドサーバ５は、屋内情報受信部５００と、通報判定部５０１と、通報部５０２と、要求情報受信部５０３と、監視情報生成部５０４と、監視情報送信部５０５とを備える。クラウドサーバ５のこれらの機能部は、ＣＰＵ５１が、二次記憶装置５４に記憶されている監視サービスプログラム５４０を実行することで実現される。
【００４５】
クラウドサーバ５において、屋内情報受信部５００は、本発明に係る屋内情報受信手段の一例である。屋内情報受信部５００は、予め定めた時間毎（例えば、１０分毎）又は空調リモコンの操作時に、各顧客宅の各エアコン２から送られてくる屋内情報を受信する。なお、各エアコン２からの定期的な屋内情報の送信については、クラウドサーバ５が、上記時間毎に各顧客宅の各エアコン２に対して、屋内情報の送信を要求し、これに応答して、各顧客宅の各エアコン２が屋内情報を送信する仕様であってもよいし、各顧客宅の各エアコン２が、上記時間毎に自発的に屋内情報をクラウドサーバ５に送信する仕様であってもよい。
【００４６】
屋内情報受信部５００は、受信した屋内情報を送信元のエアコン２のユーザ（即ち、顧客）に基づき区分けして屋内情報ＤＢ５４２に保存する。
【００４７】
通報判定部５０１は、本発明に係る通報判定手段の一例である。通報判定部５０１は、屋内情報受信部５００により、何れかの顧客宅の何れかのエアコン２から屋内情報を受信すると、当該顧客に対して通報が必要であるか否かを判定する。以下、この判定に係る処理（通報判定処理）について詳細に説明する。
【００４８】
先ず、通報判定部５０１は、当該顧客宅において、通報判定の対象となるイベント（以下、対象イベントという。）が発生したか否かを判定する。対象イベントには、例えば、以下の現象が含まれる。
・何れかのエアコン２が設置された部屋の在室者が０人から１人以上、又は、１人以上から０人になった。
・何れかのエアコン２が設置された部屋に家族以外の人物の在室を検出した。
・ユーザが何れかのエアコン２の空調リモコンを操作した。
・何れかのエアコン２において、タイマ設定による空調制御が発生した。
【００４９】
通報判定部５０１は、当該顧客の最新の屋内情報及び１つ前の屋内情報に基づいて、上記の対象イベントの発生有無を判定する。その際、通報判定部５０１は、在室者の有無については、屋内情報に含まれる熱画像を解析することで判定する。また、通報判定部５０１は、在室者を検出した場合、当該在室者が家族のメンバであるか否かについては、当該顧客の前述した各メンバの身体特徴情報に基づいて判定する。
【００５０】
通報判定部５０１は、上記の何れかの対象イベントが発生したと判定した場合、当該対象イベントの発生時において当該顧客宅の現在の状況が発生する確率に基づいて、通報の要否を判定する。具体的には、通報判定部５０１は、各部屋について、以下の項目毎に、当該対象イベントの発生時における現在の状況の発生確率を算出する。
・在室者数
・家族以外の在室者の有無
・エアコン２の稼働状態（運転中／停止中）
・室温
【００５１】
さらに、通報判定部５０１は、外気温と時間帯のそれぞれについて、当該対象イベントの発生時における現在の状況の発生確率を算出する。
【００５２】
なお、室温、外気温については、完全一致ではなく、予め区分した複数の温度帯（例えば、５〜１０℃、１０〜１５℃等）で現在の状況と同一であるか否かを判定する。
【００５３】
通報判定部５０１は、上記のようにして各々算出した発生確率を全て掛け合わせた値（以下、全体確率という。）と予め設定された閾値とを比較することで通報の要否を判定する。詳細には、全体確率が上記閾値より小さい場合、通報判定部５０１は、通常とは異なる特殊な状況であるとして、通報の必要があると判定する。一方、全体確率が上記閾値以上の場合は、当該顧客宅の日常的な状況であるとして、通報の必要がないと判定する。
【００５４】
通報部５０２は、本発明に係る通報手段の一例である。通報部５０２は、通報判定部５０１により通報の必要があると判定されると、当該顧客に特殊な状況が発生したことを通報するための情報（以下、通報情報という。）を生成し、当該顧客の操作端末４に送信する。
【００５５】
操作端末４において、通報受付部４００は、クラウドサーバ５が送信した上記の通報情報を受信する。報知部４０１は、通報受付部４００により通報情報が受信されると、クラウドサーバ５から通報を受けた旨をユーザに報知する。例えば、報知部４０１は、“宅内で通常とは異なる状況が発生しました”等のメッセージをディスプレイ４０に表示する。その際、報知部４０１は、さらに、音を鳴らしたり、操作端末４を振動させる等してもよい。
【００５６】
操作端末４において、要求受付部４０２は、ユーザから家屋Ｈの監視に係る情報（以下、監視情報という。）の取得要求を受け付ける。その際、ユーザは、状況を確認したい部屋、状況の履歴の期間等を指定することができる。
【００５７】
要求部４０３は、要求受付部４０２により監視情報の取得要求が受け付けられると、ユーザが指定した内容の監視情報を要求するための要求情報を生成し、クラウドサーバ５に送信する。
【００５８】
クラウドサーバ５において、要求情報受信部５０３は、操作端末４からの要求情報を受信する。監視情報生成部５０４は、本発明に係る監視情報生成手段の一例である。監視情報生成部５０４は、要求情報受信部５０３が受信した要求情報の内容と、顧客情報ＤＢ５４１と、屋内情報ＤＢ５４２とに基づいて、監視情報を生成する。この監視情報には、例えば、指定された部屋の指定された期間における、エアコン２の稼働状況、在室者数（家族のみ）、在室者数（家族以外）、室温等の推移を示す情報が含まれている。さらに、当該期間に、通報を要する対象イベントが発生していた場合には、その旨を示す情報も監視情報に含まれている。
【００５９】
監視情報送信部５０５は、本発明に係る監視情報送信手段の一例である。監視情報送信部５０５は、監視情報生成部５０４により生成された監視情報を、要求情報の送信元の操作端末４に送信する。
【００６０】
操作端末４において、監視情報受信部４０４は、本発明に係る監視情報受信手段の一例である。監視情報受信部４０４は、クラウドサーバ５からの監視情報を受信する。監視情報表示部４０５は、本発明にかかる制御手段の一例である。監視情報表示部４０５は、監視情報受信部４０４が受信した監視情報を予め定めた態様でディスプレイ４０に表示する。本実施の形態では、監視情報表示部４０５は、当該監視情報に基づいた監視画面を生成し、ディスプレイ４０に表示する。図８に、クラウドサーバ５から通報を受けた際にユーザが監視情報の取得要求を行った場合の監視画面の一例を示す。
【００６１】
図９は、クラウドサーバ５によって実行される通報処理の手順を示すフローチャートである。通報処理は、何れかの顧客宅の何れかのエアコン２から屋内情報を受信する度に実行される。
【００６２】
通報判定部５０１は、当該顧客宅において、対象イベントが発生したか否かを判定する（ステップＳ１０１）。対象イベントが発生していない場合（ステップＳ１０１；ＮＯ）、通報判定部５０１は、通報の必要がないと判定し、通報処理を終了する。
【００６３】
一方、対象イベントが発生した場合（ステップＳ１０１；ＹＥＳ）、通報判定部５０１は、当該対象イベントの発生時において現在の状況が発生する確率を算出する（ステップＳ１０２）。通報判定部５０１は、算出した確率が予め設定された閾値より小さいか否かを判定する（ステップＳ１０３）。算出した確率が上記閾値以上の場合（ステップＳ１０３；ＮＯ）、通報判定部５０１は、通報の必要がないと判定し、通報処理を終了する。
【００６４】
一方、算出した確率が上記閾値より小さい場合（ステップＳ１０３；ＹＥＳ）、通報判定部５０１は通報の必要があると判定する。この場合、通報部５０２は、当該顧客に特殊な状況が発生したことを通報するための通報情報を生成し、当該顧客の操作端末４に送信する（ステップＳ１０４）。
【００６５】
図１０は、監視システム１によって実行される監視処理の手順を示すフローチャートである。この監視処理は、本発明に係る監視方法の一例である。
【００６６】
エアコン２ａ，２ｂの各々は、予め定めた時間毎（例えば、１分毎）に室内の熱画像を取得する（ステップＳ２０１）。そして、エアコン２ａ，２ｂの各々は、予め定めた時間毎（例えば、１０分毎）又は空調リモコンの操作時に、室内の熱画像を示す熱画像情報と、現在の運転状態を示す機器状態情報等とを含む屋内情報を生成し、生成した屋内情報をホームゲートウェイ３を介してクラウドサーバ５に送信する（ステップＳ２０２）。
【００６７】
クラウドサーバ５の屋内情報受信部５００は、エアコン２ａ，２ｂから送られてくる屋内情報を受信する（ステップＳ２０３）。屋内情報受信部５００は、受信した屋内情報を屋内情報ＤＢ５４２に保存する。
【００６８】
操作端末４を携帯するユーザは、家屋Ｈの状況を確認したい場合、操作受付部４１を介して予め定めた操作を行う。この操作が行われることで、操作端末４の要求受付部４０２は、監視情報の取得要求を受け付ける（ステップＳ２０４）。要求部４０３は、要求受付部４０２により監視情報の取得要求が受け付けられると、監視情報を要求するための要求情報を生成し、クラウドサーバ５に送信する（ステップＳ２０５）。
【００６９】
クラウドサーバ５の要求情報受信部５０３は、操作端末４からの要求情報を受信する（ステップＳ２０６）。監視情報生成部５０４は、要求情報受信部５０３により受信された要求情報の内容と、顧客情報ＤＢ５４１と、屋内情報ＤＢ５４２とに基づいて、当該顧客宅の監視情報を生成する（ステップＳ２０７）。監視情報送信部５０５は、監視情報生成部５０４により生成された監視情報を、要求情報の送信元の操作端末４に送信する（ステップＳ２０８）。
【００７０】
操作端末４の監視情報受信部４０４は、クラウドサーバ５からの監視情報を受信する（ステップＳ２０９）。監視情報表示部４０５は、監視情報受信部４０４により受信された監視情報に基づいた監視画面を生成し、ディスプレイ４０に表示する（ステップＳ２１０）。
【００７１】
以上説明したように、本実施の形態の監視システム１によれば、クラウドサーバ５は、ユーザ宅（即ち、家屋Ｈ）に設置された各部屋のエアコン２からの屋内情報に基づいて、ユーザが指定した部屋のユーザが指定した期間に亘る、在室者の状況と、空気状態と、エアコン２の稼働状況とを含む監視情報を生成して操作端末４に送信する。このため、ユーザは、自宅のセキュリティ、見守り等に係る情報を適宜確認することができる。
【００７２】
また、クラウドサーバ５は、ユーザ宅において、通常とは異なる状況が発生したか否かを判定し、異なる状況が発生したと判定した場合には、当該ユーザに操作端末４を介して通報する。このため、ユーザは自宅において通常とは異なる状況が発生したことを直ちに認識することができる。
【００７３】
さらに、各部屋のエアコン２は、自機が備えるセンサによる計測結果と、自機の動作状態とに基づいて上記の屋内情報を生成し、クラウドサーバ５に送信する。このため、屋内の監視のための情報を取得する専用の監視設備を設置することなく、屋内のセキュリティ、見守り等の監視を実現することが可能となる。
【００７４】
なお、本発明は、上記の実施の形態に限定されず、本発明の要旨を逸脱しない範囲での種々の変更は勿論可能である。
【００７５】
例えば、上記の実施の形態では、家屋Ｈに設定された複数台のエアコン２（エアコン２ａ，２ｂ）の各々が、ホームゲートウェイ３を介してクラウドサーバ５と通信し、屋内情報を送信していたが、何れか１台のエアコン２を親機、他のエアコン２を子機とし、子機の屋内情報は、親機を介して、クラウドサーバ５に送信される仕様にしてもよい。その際、親機は、自機が生成した屋内情報と子機の屋内情報とが格納された情報をクラウドサーバ５に送信してもよいし、各々個別に送信してもよい。
【００７６】
また、上記の実施の形態では、家屋Ｈに２台のエアコン２が設置され、各々が設置された部屋が監視対象となっていたが、監視対象とする部屋の数に限定はなく、エアコン２が設置されている部屋であれば監視対象となり得る。
【００７７】
また、本発明の調整機器は、エアコン２に限らず、例えば、除湿機、照明機器等、熱画像センサと、室内の環境を計測するセンサとを備える機器であればよい。
【００７８】
また、クラウドサーバ５により通報が必要であると判定される条件は様々であり、例えば、以下の何れかの条件を満たす場合、クラウドサーバ５は通報を行ってもよい。
・予め決められた時間帯にエアコン２の運転をＯＮにするユーザ操作がない。
・室温が３０℃以上になっても冷房運転されない。
・エアコン２が停止中に、これまで入室したことがない人物が検出された。
・これまでの入退室の場所と異なる場所から、人物が入室又は退室した。
・検出された人物の体表温（手、足等の身体の一部の体表温又は身体全体の体表温の平均）が、当該人物の通常の当該体表温から予め定めた下限値を差し引いた温度より低い、又は、当該人物の通常の当該体表温に予め定めた上限値を加えた温度より高い。
【００７９】
また、上記の実施の形態では、クラウドサーバ５が、エアコン２によって取得された熱画像を解析して、在室者の有無、家族のメンバであるか否かの判定を行っていたが、エアコン２がかかる判定を行ってもよい。この場合、エアコン２は、熱画像情報に代えて、当該判定結果が格納された屋内情報をクラウドサーバ５に送信すればよい。
【００８０】
また、家屋ＨにＨＥＭＳ（Home Energy Management System）コントローラが設置されている場合には、当該ＨＥＭＳコントローラにより、上述したクラウドサーバ５の機能（図７参照）が実現されてもよい。
【００８１】
また、上記の実施の形態では、クラウドサーバ５のＣＰＵ５１によって二次記憶装置５４に記憶されている監視サービスプログラム５４０が実行されることで、クラウドサーバ５の機能部（図７参照）が実現された。
【００８２】
しかし、クラウドサーバ５の機能部の全部又は一部が、専用のハードウェアで実現されるようにしてもよい。専用のハードウェアとは、例えば、単一回路、複合回路、プログラム化されたプロセッサ、ＡＳＩＣ（Application Specific Integrated Circuit）、ＦＰＧＡ（Field-Programmable Gate Array）、又は、これらの組み合わせである。
【００８３】
また、上記の監視サービスプログラム５４０は、ＣＤ−ＲＯＭ（Compact Disc Read Only Memory）、ＤＶＤ（Digital Versatile Disc）、光磁気ディスク（Magneto-Optical Disc）、ＵＳＢ（Universal Serial Bus）メモリ、メモリカード、ＨＤＤ等のコンピュータ読み取り可能な記録媒体に格納して配布することも可能である。そして、監視サービスプログラム５４０を特定の又は汎用のコンピュータにインストールすることによって、当該コンピュータを上記の実施の形態におけるクラウドサーバ５として機能させることも可能である。
【００８４】
また、監視サービスプログラム５４０をインターネット上の図示しないサーバが有する記憶装置に格納しておき、当該サーバからクラウドサーバ５に監視サービスプログラム５４０がダウンロードされるようにしてもよい。
【００８５】
本発明は、広義の精神と範囲を逸脱することなく、様々な実施の形態及び変形が可能である。また、上述した実施の形態は、本発明を説明するためのものであり、本発明の範囲を限定するものではない。つまり、本発明の範囲は、実施の形態ではなく、請求の範囲によって示される。そして、請求の範囲内及びそれと同等の発明の意義の範囲内で施される様々な変形が、本発明の範囲内とみなされる。
【産業上の利用可能性】
【００８６】
本発明は、屋内のセキュリティ、見守り等の監視を行う技術に好適に採用され得る。
【符号の説明】
【００８７】
１  監視システム、２（２ａ，２ｂ）  エアコン、３  ホームゲートウェイ、４  操作端末、５  クラウドサーバ、６  ＡＰ、７  基地局、２０  ファン、２１  ルーバ、２２  熱交換器、２３  温度センサ、２４  湿度センサ、２５  熱画像センサ、２６  制御基板、４０  ディスプレイ、４１  操作受付部、４２，５０  通信インタフェース、４３，５１  ＣＰＵ、４４，５２  ＲＯＭ、４５，５３  ＲＡＭ、４６，５４  二次記憶装置、４７，５５  バス、４００  通報受付部、４０１  報知部、４０２  要求受付部、４０３  要求部、４０４  監視情報受信部、４０５  監視情報表示部、５００  屋内情報受信部、５０１  通報判定部、５０２  通報部、５０３  要求情報受信部、５０４  監視情報生成部、５０５  監視情報送信部、５４０  監視サービスプログラム、５４１  顧客情報ＤＢ、５４２  屋内情報ＤＢ、ＣＬ１〜ＣＬ５  通信線
【図１】
2019244306.tif 000003
【図２】
2019244306.tif 000004
【図３】
2019244306.tif 000005
【図４】
2019244306.tif 000006
【図５】
2019244306.tif 000007
【図６】
2019244306.tif 000008
【図７】
2019244306.tif 000009
【図８】
2019244306.tif 000010
【図９】
2019244306.tif 000011
【図１０】
2019244306.tif 000012
【手続補正書】
【提出日】令和2年6月16日(2020.6.16)
【手続補正１】
【補正対象書類名】明細書
【補正対象項目名】０００８
【補正方法】変更
【補正の内容】
【０００８】
上記目的を達成するため、本発明に係る監視システムは、
屋内の環境を調整する調整機器と、監視装置と、端末と、を備え、
前記調整機器は、
前記屋内の熱画像を取得する熱画像センサと、
前記取得された熱画像に基づく熱画像情報と、前記調整機器の状態に基づく機器状態情報と、を含む屋内情報を前記監視装置に送信する屋内情報送信手段と、を備え、
前記監視装置は、
前記調整機器から前記屋内情報を受信する屋内情報受信手段と、
前記屋内情報の履歴に基づいて監視情報を生成する監視情報生成手段と、
前記監視情報を前記端末に送信する監視情報送信手段と、を備え、
前記端末は、
ディスプレイと、
前記監視装置から前記監視情報を受信する監視情報受信手段と、
前記監視情報に基づいて前記屋内の予め定めた状況の推移を前記ディスプレイに表示する制御手段と、を備える。
【手続補正２】
【補正対象書類名】特許請求の範囲
【補正対象項目名】全文
【補正方法】変更
【補正の内容】
【特許請求の範囲】
【請求項１】
屋内の環境を調整する調整機器と、監視装置と、端末と、を備え、
前記調整機器は、
前記屋内の熱画像を取得する熱画像センサと、
前記取得された熱画像に基づく熱画像情報と、前記調整機器の状態に基づく機器状態情報と、を含む屋内情報を前記監視装置に送信する屋内情報送信手段と、を備え、
前記監視装置は、
前記調整機器から前記屋内情報を受信する屋内情報受信手段と、
前記屋内情報の履歴に基づいて監視情報を生成する監視情報生成手段と、
前記監視情報を前記端末に送信する監視情報送信手段と、を備え、
前記端末は、
ディスプレイと、
前記監視装置から前記監視情報を受信する監視情報受信手段と、
前記監視情報に基づいて前記屋内の予め定めた状況の推移を前記ディスプレイに表示する制御手段と、を備える、監視システム。
【請求項２】
前記屋内情報には、前記調整機器により計測された前記屋内の空気状態を示す情報がさらに含まれる、請求項１に記載の監視システム。
【請求項３】
前記監視情報には、前記屋内の在室者に関する情報が含まれる、請求項１又は２に記載の監視システム。
【請求項４】
前記監視装置は、
前記屋内情報の履歴に基づいて、ユーザへの通報が必要か否かを判定する通報判定手段と、
前記通報判定手段により通報が必要であると判定された場合、前記端末を介して前記ユーザに通報する通報手段と、をさらに備える、請求項１から３の何れか１項に記載の監視システム。
【請求項５】
前記通報判定手段は、前記屋内で予め定めたイベントが発生した場合、前記屋内の予め定めた状況を検出し、前記屋内情報の履歴に基づいて、前記イベントの発生時における前記検出した状況が発生する確率を算出し、算出した確率に基づいて、前記通報の要否を判定する、請求項４に記載の監視システム。
【請求項６】
調整機器が、
屋内の熱画像を取得し、
取得した前記熱画像に基づく熱画像情報と、前記調整機器の状態に基づく機器状態情報と、を含む屋内情報を監視装置に送信し、
前記監視装置が、
前記調整機器から前記屋内情報を受信し、
受信した前記屋内情報の履歴に基づいて監視情報を生成し、
生成した前記監視情報を端末に送信し、
前記端末が、
前記監視装置から前記監視情報を受信し、
受信した前記監視情報に基づいて前記屋内の予め定めた状況の推移をディスプレイに表示する、監視方法。
【国際調査報告】
2019244306.tif 000013
2019244306.tif 000014
2019244306.tif 000015
2019244306.tif 000016